(57)【要約】【課題】光源の点灯期間に関係なく動画の表示品位が低下する。【解決手段】液晶表示装置は、液晶表示部と、液晶表示部を背面から照明する光源と、入力映像信号に基づく画像データをフレームごとに画素に対して書き込む表示制御部と、動画領域を検出する動画検出部と、光源の点灯期間を設定する設定部と、動画領域の画素に対して画像データが書き込まれる書込期間と光源の点灯期間とが重なるか否かを判定し、判定結果に基づき光源の点灯波形を制御する光源制御部と、駆動信号を出力して光源を駆動する光源駆動部とを備える。光源は、光源駆動部から矩形波の駆動信号が出力されて駆動されると、立上り波形及び立下り波形の傾斜が急峻な波形で点灯及び消灯する。光源制御部は、書込期間と点灯期間とが重なると判定すると、光源の点灯波形における立上り波形及び立下り波形の少なくとも一方の傾斜角度が小さくなるように制御する。【選択図】図１
2013134318.tif 000002
【特許請求の範囲】
【請求項１】
画素を含み、フレームごとに入力される入力映像信号に対応する映像を表示する液晶表示部と、
前記液晶表示部を背面から照明する光源と、
前記入力映像信号に基づく画像データを前記フレームごとに前記画素に対して１回書き込む表示制御部と、
所定フレームの前記入力映像信号と前記所定フレームの少なくとも１つ前に前記液晶表示部に表示されるフレームの前記入力映像信号とに基づき、動画領域を前記フレームごとに検出する動画検出部と、
前記光源の点灯期間を前記フレームごとに設定する設定部と、
前記動画検出部により検出された前記動画領域の前記画素に対して前記画像データが前記表示制御部により書き込まれる書込期間と、前記設定部により設定された前記光源の前記点灯期間とが重なるか否かを前記フレームごとに判定し、該判定結果に基づき、前記光源の点灯波形を制御する光源制御部と、
前記光源制御部の制御に応じた駆動波形の駆動信号を出力して前記光源を駆動する光源駆動部と、
を備え、
前記光源は、前記光源駆動部から矩形波の前記駆動信号が出力されて駆動されると、前記点灯波形における立上り波形及び立下り波形の傾斜が急峻な波形で点灯及び消灯し、
前記光源制御部は、前記書込期間と前記点灯期間とが重なると判定すると、前記光源の前記点灯波形における前記立上り波形及び前記立下り波形の少なくとも一方の傾斜角度が小さくなるように制御し、前記書込期間と前記点灯期間とが重ならないと判定すると、前記立上り波形及び前記立下り波形の傾斜角度が小さくなるように制御しないことを特徴とする液晶表示装置。
【請求項２】
前記光源制御部は、前記書込期間と前記点灯期間とが重なると判定すると、前記立上り波形及び前記立下り波形の両方の傾斜角度が小さくなるように制御することを特徴とする請求項１記載の液晶表示装置。
【請求項３】
前記光源制御部は、前記書込期間と前記点灯期間との重なり具合に応じて、前記立上り波形及び前記立下り波形の各々の傾斜角度が小さくなるように制御するか否かを変更することを特徴とする請求項１記載の液晶表示装置。
【請求項４】
前記光源制御部は、
前記点灯期間における点灯開始時は前記書込期間と重なり、点灯終了時は前記書込期間と重ならないと判定すると、前記立上り波形の傾斜角度が小さくなるように制御し、かつ、前記立下り波形の傾斜角度が小さくなるように制御せず、
前記点灯期間における点灯終了時は前記書込期間と重なり、点灯開始時は前記書込期間と重ならないと判定すると、前記立下り波形の傾斜角度が小さくなるように制御し、かつ、前記立上り波形の傾斜角度が小さくなるように制御せず、
前記点灯期間全体が前記書込期間と重なると判定すると、前記立上り波形及び前記立下り波形の両方の傾斜角度が小さくなるように制御することを特徴とする請求項３記載の液晶表示装置。
【請求項５】
前記光源制御部は、前記立上り波形のみの傾斜角度が小さくなるように制御するときは、前記傾斜角度が小さくなるように制御しないときに比べて、前記光源の前記点灯波形の波高値を増大させることを特徴とする請求項３または４記載の液晶表示装置。
【請求項６】
所定画素の前記入力映像信号と前記所定画素の隣接画素の前記入力映像信号との信号レベルの差分が予め設定された第１閾値以上であるエッジを検出するエッジ検出部をさらに備え、
前記光源制御部は、前記動画検出部により検出された前記動画領域において前記エッジ検出部により検出された前記エッジの数が予め設定された第２閾値以上のときは、前記第２閾値未満のときに比べて、前記立上り波形及び前記立下り波形の傾斜角度がより小さくなるように制御することを特徴とする請求項１ないし５のいずれか１項に記載の液晶表示装置。
【請求項７】
周囲の温度を検出する温度検出部をさらに備え、
前記光源制御部は、前記温度検出部により検出された温度が予め設定された第３閾値未満のときは、前記第３閾値以上のときに比べて、前記立上り波形及び前記立下り波形の傾斜角度がより小さくなるように制御することを特徴とする請求項１ないし６のいずれか１項に記載の液晶表示装置。
【請求項８】
前記光源は、発光ダイオードを含むことを特徴とする請求項１ないし７のいずれか１項に記載の液晶表示装置。
【請求項９】
画素を含み、フレームごとに入力される入力映像信号に対応する映像を表示する液晶表示部と、前記液晶表示部を背面から照明する光源とを備えた液晶表示装置の液晶表示方法であって、
前記入力映像信号に基づく画像データを前記フレームごとに前記画素に対して１回書き込む表示制御ステップと、
所定フレームの前記入力映像信号と前記所定フレームの少なくとも１つ前に前記液晶表示部に表示されるフレームの前記入力映像信号とに基づき、動画領域を前記フレームごとに検出する動画検出ステップと、
前記光源の点灯期間を前記フレームごとに設定する設定ステップと、
前記動画検出ステップにより検出された前記動画領域の前記画素に対して前記画像データが前記表示制御ステップにより書き込まれる書込期間と、前記設定ステップにより設定された前記光源の前記点灯期間とが重なるか否かを前記フレームごとに判定し、該判定結果に基づき、前記光源の点灯波形を制御する光源制御ステップと、
前記光源制御ステップの制御に応じた駆動波形の駆動信号を出力して前記光源を駆動する光源駆動ステップと、
を含み、
前記光源は、前記光源駆動ステップにおいて矩形波の前記駆動信号が出力されて駆動されると、前記点灯波形における立上り波形及び立下り波形の傾斜が急峻な波形で点灯及び消灯し、
前記光源制御ステップは、前記書込期間と前記点灯期間とが重なると判定すると、前記光源の前記点灯波形における立上り波形及び立下り波形の少なくとも一方の傾斜角度が小さくなるように制御し、前記書込期間と前記点灯期間とが重ならないと判定すると、前記立上り波形及び前記立下り波形の傾斜角度が小さくなるように制御しないことを特徴とする液晶表示方法。
【発明の詳細な説明】
【技術分野】
【０００１】
本発明は、液晶表示部を背面から照明する光源を利用した液晶表示装置及び液晶表示方法に関するものである。
【背景技術】
【０００２】
光変調素子として液晶を用いた液晶表示装置は、液晶表示部を背面から照明する光源（バックライト）を備え、その光源から出射される光の透過率を液晶によって制御することで、任意の画像の表示を実現している。
【０００３】
ところで、液晶表示装置は、ホールド型デバイスであり、新たなフレームの映像信号に基づく映像が液晶表示画面に書き込まれるまで、１つ前のフレームで書き込まれた映像を保持する。このため、動画を表示する場合には、残像現象が発生する。そこで、特許文献１に記載の技術では、動画と判定されたフレームでは、液晶に対する画素データの印加に対する応答特性に対応して、光源（バックライト）を点滅させている。すなわち、液晶の応答が完了するまでは光源を消灯させておき、液晶の応答が完了した後で、光源を点灯させている。このように、液晶の応答期間と光源の点灯期間とが重ならないようにすることによって、動画における残像現象を低減している。
【先行技術文献】
【特許文献】
【０００４】
【特許文献１】特開２００５−９９３６７号公報
【発明の概要】
【発明が解決しようとする課題】
【０００５】
しかしながら、例えば、周囲が明るい場合には、光源の輝度デューティ値を大きい値に設定することがある。光源の輝度デューティ値が大きい値に設定されると、光源の点灯期間を長くする必要がある。したがって、光源の点灯期間が液晶の応答期間と重なることがあり得る。この場合には、上記特許文献１に記載の技術を実現することが困難となる。その結果、動画の表示品位が低下する。
【０００６】
本発明は、上述した課題を解決するためになされたもので、光源の点灯期間に関係なく動画の表示品位が低下するのを防止することができる液晶表示装置および液晶表示方法を提供することを目的とする。
【課題を解決するための手段】
【０００７】
本発明の一局面に係る液晶表示装置は、画素を含み、フレームごとに入力される入力映像信号に対応する映像を表示する液晶表示部と、前記液晶表示部を背面から照明する光源と、前記入力映像信号に基づく画像データを前記フレームごとに前記画素に対して１回書き込む表示制御部と、所定フレームの前記入力映像信号と前記所定フレームの少なくとも１つ前に前記液晶表示部に表示されるフレームの前記入力映像信号とに基づき、動画領域を前記フレームごとに検出する動画検出部と、前記光源の点灯期間を前記フレームごとに設定する設定部と、前記動画検出部により検出された前記動画領域の前記画素に対して前記画像データが前記表示制御部により書き込まれる書込期間と、前記設定部により設定された前記光源の前記点灯期間とが重なるか否かを前記フレームごとに判定し、該判定結果に基づき、前記光源の点灯波形を制御する光源制御部と、前記光源制御部の制御に応じた駆動波形の駆動信号を出力して前記光源を駆動する光源駆動部と、を備え、前記光源は、前記光源駆動部から矩形波の前記駆動信号が出力されて駆動されると、前記点灯波形における立上り波形及び立下り波形の傾斜が急峻な波形で点灯及び消灯し、前記光源制御部は、前記書込期間と前記点灯期間とが重なると判定すると、前記光源の前記点灯波形における前記立上り波形及び前記立下り波形の少なくとも一方の傾斜角度が小さくなるように制御し、前記書込期間と前記点灯期間とが重ならないと判定すると、前記立上り波形及び前記立下り波形の傾斜角度が小さくなるように制御しない。
【０００８】
この構成によれば、液晶表示部は、画素を含み、フレームごとに入力される入力映像信号に対応する映像を表示する。光源は、液晶表示部を背面から照明する。表示制御部は、入力映像信号に基づく画像データをフレームごとに画素に対して１回書き込む。動画検出部は、所定フレームの入力映像信号と所定フレームの少なくとも１つ前に液晶表示部に表示されるフレームの入力映像信号とに基づき、動画領域をフレームごとに検出する。設定部は、光源の点灯期間をフレームごとに設定する。光源制御部は、動画検出部により検出された動画領域の画素に対して画像データが表示制御部により書き込まれる書込期間と、設定部により設定された光源の点灯期間とが重なるか否かをフレームごとに判定し、該判定結果に基づき、光源の点灯波形を制御する。光源駆動部は、光源制御部の制御に応じた駆動波形の駆動信号を出力して光源を駆動する。光源は、光源駆動部から矩形波の駆動信号が出力されて駆動されると、点灯波形における立上り波形及び立下り波形の傾斜が急峻な波形で点灯及び消灯する。光源制御部は、書込期間と点灯期間とが重なると判定すると、光源の点灯波形における立上り波形及び立下り波形の少なくとも一方の傾斜角度が小さくなるように制御し、書込期間と点灯期間とが重ならないと判定すると、立上り波形及び立下り波形の傾斜角度が小さくなるように制御しない。
【０００９】
発明者らの検討によると、動画領域の画素に対して画像データが書き込まれる書込期間と光源の点灯期間とが重なる場合において、光源の点灯波形における立上り波形及び立下り波形の傾斜が急峻な光源を用いると、動画の表示品位が低下することが分かってきた。これに対して、上記構成によれば、書込期間と点灯期間とが重なる場合には、光源の点灯波形における立上り波形及び立下り波形の少なくとも一方の傾斜角度が小さくなるように制御している。したがって、光源の点灯波形における立上り波形及び立下り波形の少なくとも一方の傾斜が急峻でなくなる。その結果、光源の点灯期間に関係なく、動画の表示品位が低下するのを防止することができる。
【００１０】
上記の液晶表示装置において、前記光源制御部は、前記書込期間と前記点灯期間とが重なると判定すると、前記立上り波形及び前記立下り波形の両方の傾斜角度が小さくなるように制御することが好ましい。
【００１１】
この構成によれば、光源制御部は、書込期間と点灯期間とが重なると判定すると、立上り波形及び立下り波形の両方の傾斜角度が小さくなるように制御する。したがって、立上り波形及び立下り波形の両方とも傾斜が急峻でなくなるため、動画の表示品位が低下するのを確実に防止することができる。
【００１２】
上記の液晶表示装置において、前記光源制御部は、前記書込期間と前記点灯期間との重なり具合に応じて、前記立上り波形及び前記立下り波形の各々の傾斜角度が小さくなるように制御するか否かを変更することが好ましい。
【００１３】
この構成によれば、光源制御部は、書込期間と点灯期間との重なり具合に応じて、立上り波形及び立下り波形の各々の傾斜角度が小さくなるように制御するか否かを変更する。したがって、立上り波形及び立下り波形のうちで、傾斜角度を小さくする必要がある波形のみ、傾斜角度を小さくすることができる。
【００１４】
上記の液晶表示装置において、前記光源制御部は、前記点灯期間における点灯開始時は前記書込期間と重なり、点灯終了時は前記書込期間と重ならないと判定すると、前記立上り波形の傾斜角度が小さくなるように制御し、かつ、前記立下り波形の傾斜角度が小さくなるように制御せず、前記点灯期間における点灯終了時は前記書込期間と重なり、点灯開始時は前記書込期間と重ならないと判定すると、前記立下り波形の傾斜角度が小さくなるように制御し、かつ、前記立上り波形の傾斜角度が小さくなるように制御せず、前記点灯期間全体が前記書込期間と重なると判定すると、前記立上り波形及び前記立下り波形の両方の傾斜角度が小さくなるように制御することが好ましい。
【００１５】
この構成によれば、光源制御部は、点灯期間における点灯開始時は書込期間と重なり、点灯終了時は書込期間と重ならないと判定すると、立上り波形の傾斜角度が小さくなるように制御し、かつ、立下り波形の傾斜角度が小さくなるように制御しない。また、光源制御部は、点灯期間における点灯終了時は書込期間と重なり、点灯開始時は書込期間と重ならないと判定すると、立下り波形の傾斜角度が小さくなるように制御し、かつ、立上り波形の傾斜角度が小さくなるように制御しない。また、光源制御部は、点灯期間全体が書込期間と重なると判定すると、立上り波形及び立下り波形の両方の傾斜角度が小さくなるように制御する。したがって、立上り波形及び立下り波形のうち、必要な方の波形の傾斜角度のみを小さくすることができる。
【００１６】
上記の液晶表示装置において、前記光源制御部は、前記立上り波形のみの傾斜角度が小さくなるように制御するときは、前記傾斜角度が小さくなるように制御しないときに比べて、前記光源の前記点灯波形の波高値を増大させることが好ましい。
【００１７】
この構成によれば、光源制御部は、立上り波形のみの傾斜角度が小さくなるように制御するときは、傾斜角度が小さくなるように制御しないときに比べて、光源の点灯波形の波高値を増大させる。立上り波形のみの傾斜角度を小さくしたとき、傾斜角度が小さくならないときと波高値が同じであれば、光源の発光輝度が低下する。しかしながら、上記構成によれば、傾斜角度が小さくなるように制御しないときに比べて波高値が増大されているため、光源の発光輝度が低下するのを抑制することができる。
【００１８】
上記の液晶表示装置において、所定画素の前記入力映像信号と前記所定画素の隣接画素の前記入力映像信号との信号レベルの差分が予め設定された第１閾値以上であるエッジを検出するエッジ検出部をさらに備え、前記光源制御部は、前記動画検出部により検出された前記動画領域において前記エッジ検出部により検出された前記エッジの数が予め設定された第２閾値以上のときは、前記第２閾値未満のときに比べて、前記立上り波形及び前記立下り波形の傾斜角度がより小さくなるように制御することが好ましい。
【００１９】
この構成によれば、エッジ検出部は、所定画素の入力映像信号と所定画素の隣接画素の入力映像信号との信号レベルの差分が予め設定された第１閾値以上であるエッジを検出する。光源制御部は、動画検出部により検出された動画領域においてエッジ検出部により検出されたエッジの数が予め設定された第２閾値以上のときは、第２閾値未満のときに比べて、立上り波形及び立下り波形の傾斜角度がより小さくなるように制御する。エッジの数が第２閾値以上のときは、第２閾値未満のときに比べて、光源の点灯波形における立上り波形及び立下り波形の傾斜が急峻な光源を用いると、動画の表示品位がより大きく低下する。したがって、上記の構成によれば、エッジの数が予め設定された第２閾値以上のときは、第２閾値未満のときに比べて、立上り波形及び立下り波形の傾斜角度をより小さくすることによって、動画の表示品位が大きく低下するのを防止することができる。
【００２０】
上記の液晶表示装置において、周囲の温度を検出する温度検出部をさらに備え、前記光源制御部は、前記温度検出部により検出された温度が予め設定された第３閾値未満のときは、前記第３閾値以上のときに比べて、前記立上り波形及び前記立下り波形の傾斜角度がより小さくなるように制御することが好ましい。
【００２１】
温度が低くなると、液晶の応答速度は低下するため、動画の表示品位はより大きく低下する。しかし、上記構成によれば、温度検出部は、周囲の温度を検出する。光源制御部は、温度検出部により検出された温度が予め設定された第３閾値未満のときは、第３閾値以上のときに比べて、立上り波形及び立下り波形の傾斜角度がより小さくなるように制御する。したがって、温度が第３閾値未満のときは、第３閾値以上のときに比べて、立上り波形及び立下り波形の傾斜角度をより小さくすることによって、動画の表示品位が大きく低下するのを防止することができる。
【００２２】
上記の液晶表示装置において、前記光源は、発光ダイオードを含むことが好ましい。この構成によれば、光源は、発光ダイオードを含む。発光ダイオードは、光源駆動部から矩形波の駆動信号が出力されて駆動されると、点灯波形における立上り波形及び立下り波形の傾斜が急峻な波形で点灯及び消灯する。しかし、上記構成によれば、立上り波形及び立下り波形の少なくとも一方の傾斜角度が小さくされるため、動画の表示品位が低下するのを防止することができる。
【００２３】
また、本発明の他の局面に係る液晶表示方法は、画素を含み、フレームごとに入力される入力映像信号に対応する映像を表示する液晶表示部と、前記液晶表示部を背面から照明する光源とを備えた液晶表示装置の液晶表示方法であって、前記入力映像信号に基づく画像データを前記フレームごとに前記画素に対して１回書き込む表示制御ステップと、所定フレームの前記入力映像信号と前記所定フレームの少なくとも１つ前に前記液晶表示部に表示されるフレームの前記入力映像信号とに基づき、動画領域を前記フレームごとに検出する動画検出ステップと、前記光源の点灯期間を前記フレームごとに設定する設定ステップと、前記動画検出ステップにより検出された前記動画領域の前記画素に対して前記画像データが前記表示制御ステップにより書き込まれる書込期間と、前記設定ステップにより設定された前記光源の前記点灯期間とが重なるか否かを前記フレームごとに判定し、該判定結果に基づき、前記光源の点灯波形を制御する光源制御ステップと、前記光源制御ステップの制御に応じた駆動波形の駆動信号を出力して前記光源を駆動する光源駆動ステップと、を含み、前記光源は、前記光源駆動ステップにおいて矩形波の前記駆動信号が出力されて駆動されると、前記点灯波形における立上り波形及び立下り波形の傾斜が急峻な波形で点灯及び消灯し、前記光源制御ステップは、前記書込期間と前記点灯期間とが重なると判定すると、前記光源の前記点灯波形における立上り波形及び立下り波形の少なくとも一方の傾斜角度が小さくなるように制御し、前記書込期間と前記点灯期間とが重ならないと判定すると、前記立上り波形及び前記立下り波形の傾斜角度が小さくなるように制御しない。
【００２４】
この構成によれば、表示制御ステップは、入力映像信号に基づく画像データをフレームごとに画素に対して１回書き込む。動画検出ステップは、所定フレームの入力映像信号と所定フレームの少なくとも１つ前に液晶表示部に表示されるフレームの入力映像信号とに基づき、動画領域をフレームごとに検出する。設定ステップは、光源の点灯期間をフレームごとに設定する。光源制御ステップは、動画検出ステップにより検出された動画領域の画素に対して画像データが表示制御ステップにより書き込まれる書込期間と、設定ステップにより設定された光源の点灯期間とが重なるか否かをフレームごとに判定し、該判定結果に基づき、光源の点灯波形を制御する。光源駆動ステップは、光源制御ステップの制御に応じた駆動波形の駆動信号を出力して光源を駆動する。光源は、光源駆動ステップにおいて矩形波の駆動信号が出力されて駆動されると、点灯波形における立上り波形及び立下り波形の傾斜が急峻な波形で点灯及び消灯する。光源制御ステップは、書込期間と点灯期間とが重なると判定すると、光源の点灯波形における立上り波形及び立下り波形の少なくとも一方の傾斜角度が小さくなるように制御し、書込期間と点灯期間とが重ならないと判定すると、立上り波形及び立下り波形の傾斜角度が小さくなるように制御しない。
【００２５】
発明者らの検討によると、動画領域の画素に対して画像データが書き込まれる書込期間と光源の点灯期間とが重なる場合において、光源の点灯波形における立上り波形及び立下り波形の傾斜が急峻な光源を用いると、動画の表示品位が低下することが分かってきた。これに対して、上記構成によれば、書込期間と点灯期間とが重なる場合には、光源の点灯波形における立上り波形及び立下り波形の少なくとも一方の傾斜角度が小さくなるように制御している。したがって、光源の点灯波形における立上り波形及び立下り波形の少なくとも一方の傾斜が急峻でなくなる。その結果、光源の点灯期間に関係なく、動画の表示品位が低下するのを防止することができる。
【発明の効果】
【００２６】
本発明によれば、光源の点灯波形における立上り波形及び立下り波形の少なくとも一方の傾斜角度が小さくなるように制御しているため、動画の表示品位が低下するのを防止することができる。
【図面の簡単な説明】
【００２７】
【図１】本発明の第１実施形態の液晶表示装置の構成を示すブロック図である。
【図２】動画が表示された液晶表示パネルを模式的に示す図である。
【図３】図２に示される動画を表示するときの液晶を含む画素の動作を模式的に示すタイミングチャートで、理想的な液晶画素の動作を示す。
【図４】図２に示される動画を表示するときの液晶を含む画素の動作を模式的に示すタイミングチャートで、液晶の応答速度を加味した実際の液晶画素の動作を示す。
【図５】図４に示される液晶画素の動作時における各液晶の応答波形及び視線移動を模式的に示す図である。
【図６Ａ】動画が二重像として視認されることを説明する模式図である。
【図６Ｂ】動画が二重像として視認されることを説明する模式図である。
【図７Ａ】動画が二重像として視認されることを説明する模式図である。
【図７Ｂ】動画が二重像として視認されることを説明する模式図である。
【図８Ａ】液晶の応答波形及び物体のエッジ部分の見え方を模式的に示す図である。
【図８Ｂ】液晶の応答波形及び物体のエッジ部分の見え方を模式的に示す図である。
【図９】光源制御部の制御により光源駆動部から出力される駆動信号の駆動波形及び光源の点灯波形の例を示す図である。
【図１０】本発明の第２実施形態の液晶表示装置の構成を示すブロック図である。
【図１１】第２実施形態において、光源制御部の制御により光源駆動部から出力される駆動信号の駆動波形及び光源の点灯波形の例を示す図である。
【図１２】光源制御部の制御により光源駆動部から出力される駆動信号の駆動波形及び光源の点灯波形の別の例を示す図である。
【図１３】光源制御部の制御により光源駆動部から出力される駆動信号の駆動波形及び光源の点灯波形の別の例を示す図である。
【図１４】光源制御部の制御により光源駆動部から出力される駆動信号の駆動波形及び光源の点灯波形の例を示す図である。
【図１５】光源制御部の制御により光源駆動部から出力される駆動信号の駆動波形及び光源の点灯波形の例を示す図である。
【図１６】光源制御部の制御により光源駆動部から出力される駆動信号の駆動波形及び光源の点灯波形の例を示す図である。
【図１７】光源制御部の制御により光源駆動部から出力される駆動信号の駆動波形及び光源の点灯波形の例を示す図である。
【図１８】光源制御部の制御により光源駆動部から出力される駆動信号の駆動波形及び光源の点灯波形の例を示す図である。
【図１９】本発明のさらに別の形態の液晶表示装置の構成を示すブロック図である。
【発明を実施するための形態】
【００２８】
（第１実施形態）
図１は、本発明の第１実施形態の液晶表示装置１の構成を示すブロック図である。図１に示されるように、液晶表示装置１は、動画検出部１１と、輝度デューティ値設定部１２１及び光源点灯開始位相設定部１２２を含む点灯期間設定部１２と、光源制御部１３と、光源駆動部１４と、光源１５と、液晶表示パネル１６１及び表示制御部１６２を含む映像表示部１６とを備える。
【００２９】
映像表示部１６は、表示制御部１６２により、入力映像信号及び垂直同期信号に基づき、液晶表示パネル１６１のマトリクス状に配置された画素に対してデータ信号線および走査信号線を用いて１フレームごとに画像データを１回書き込み、その画像データを次のデータ書き込みまで１フレーム間保持するホールド型の表示部である。
【００３０】
すなわち、液晶表示パネル１６１は、横方向（主走査方向）及び縦方向（副走査方向）にマトリクス状に整列した複数の画素を含む。表示制御部１６２は、液晶表示パネル１６１の画素に対して、データ信号線および走査信号線を用いて、本実施形態では副走査方向において液晶表示パネル１６１の上端の画素から下端の画素に向けて順番に、入力映像信号及び垂直同期信号に基づき画像データを１回書き込み、これによって、１フレームの画像を生成する。表示制御部１６２により、１フレームの画像生成が所定のフレーム周波数で繰り返されることによって、液晶表示パネル１６１に表示される画像が視聴者によって視認される。なお、液晶表示パネル１６１としては、ＩＰＳ（In Plane Switching）方式、ＶＡ（Vertical Alignment）方式、その他のいずれの方式を適用してもよい。
【００３１】
光源１５は、光源駆動部１４から出力される所定の駆動波形を有する駆動信号に基づいて点灯及び消灯する。光源１５は、点灯時に映像表示部１６の液晶表示パネル１６１を背面から照明して、液晶表示パネル１６１に書き込まれた画像データを可視化させるバックライトとして機能する。光源１５は、この実施形態では例えば、白色の発光ダイオード（ＬＥＤ）で構成されている。なお、光源１５は、赤色ＬＥＤ、緑色ＬＥＤ及び青色ＬＥＤを備え、これら３個のＬＥＤにより白色光を得るように構成してもよい。
【００３２】
動画検出部１１は、例えば公知の手法で動画領域を検出する。すなわち、動画検出部１１は、例えば液晶表示パネル１６１に現在表示されている現フレームの入力映像信号と、現フレームの１つ前に表示される前フレームの入力映像信号とを、走査線ごとに画素単位で比較して、走査線ごとの動き量を判定する。また、動画検出部１１は、動き量が所定の閾値を超えている走査線は動画ありと判定し、閾値を超えていない走査線は動画なしと判定する。また、動画検出部１１は、例えば、動画ありの走査線番号に対応して、走査線動き判定信号として「１」を出力し、動画なしの走査線番号に対応して、走査線動き判定信号として「０」を出力する。そして、動画検出部１１は、走査線動き判定信号「１」を出力した走査線番号の範囲を動画領域として検出する。つまり、動画検出部１１は、副走査方向における動画領域開始位置及び動画領域終了位置を検出すればよい。動画検出部１１は、フレームごとに、動画領域を検出する。
【００３３】
輝度デューティ値設定部１２１は、液晶表示パネル１６１の画面の輝度デューティ値を設定する。この輝度デューティ値設定部１２１により、映像の特徴量に応じた輝度設定、外光に応じた輝度設定、ユーザーによる任意の輝度設定等が行われる。
【００３４】
すなわち、輝度デューティ値設定部１２１は、例えば入力映像信号の輝度の平均値を検出し、検出した平均値が高くなるほど光源１５の輝度を高く設定する。あるいは、輝度デューティ値設定部１２１は、例えば周囲の明るさを検出し、周囲が明るくなるほど、光源１５の輝度を高く設定するようにしてもよい。あるいは、輝度デューティ値設定部１２１は、入力映像信号の輝度及び周囲の明るさの両方を考慮して、光源１５の輝度を設定するようにしてもよい。あるいはまた、輝度デューティ値設定部１２１は、例えばユーザーが輝度を設定するための入力部を備え、ユーザーによる設定値に応じて光源１５の輝度を設定するようにしてもよい。輝度デューティ値設定部１２１は、輝度デューティ値を、本実施形態では例えば、光源１５の点灯デューティ比＝点灯時間／（点灯時間＋消灯時間）として設定する。
【００３５】
光源点灯開始位相設定部１２２は、垂直同期信号の周期Ｔｖ（例えば図８Ａ）において光源１５を点灯する位相を設定する。なお、垂直同期信号の周期Ｔｖにおける点灯開始位相が固定されている場合は、光源点灯開始位相設定部１２２は、点灯開始位相を固定値として出力してもよい。
【００３６】
点灯期間設定部１２は、輝度デューティ値設定部１２１により設定された輝度デューティ値と、光源点灯開始位相設定部１２２により設定された光源１５の点灯開始位相とによって、垂直同期信号の周期Ｔｖにおける光源１５の点灯期間を設定する。本実施形態において、液晶表示パネル１６１は、液晶表示部の一例に対応し、点灯期間設定部１２は、設定部の一例に対応する。光源制御部１３及び記憶部１７の機能は、後に詳述される。
【００３７】
発明者らの知見によると、動画領域の画素に対して画像データが書き込まれる書込期間と、光源の点灯期間とが重なる場合において、光源の点灯波形における立上り波形及び立下り波形の傾斜が急峻な光源を用いると、動画が二重像（多重像）として視認されることが分かってきた。以下、図２ないし図７Ａ及び図７Ｂを用いて、発明者らの知見による二重像の発生原理が説明される。
【００３８】
図２（ａ）、２（ｂ）、２（ｃ）は、物体３１が表示された液晶表示パネル１６１を模式的に示す図である。図２（ａ）にＮフレームの状態が示され、図２（ｂ）にＮ＋１フレームの状態が示され、図２（ｃ）にＮ＋２フレームの状態が示されている。図３及び図４は、図２に示される動画を表示するときの液晶を含む画素（以下、「液晶」、「液晶画素」とも称する）の動作を模式的に示すタイミングチャートである。図３は、理想的な液晶画素の動作を示し、図４は、液晶の応答速度を加味した実際の液晶画素の動作を示す。図５は、図４に示される液晶画素の動作時における各液晶の応答波形及び視線移動を模式的に示す図である。図６Ａ、図６Ｂ、図７Ａ、図７Ｂは、動画が二重像として視認されることを説明する模式図である。図６Ａ、図６Ｂ、図７Ａ、図７Ｂは、液晶の応答波形及び物体のエッジ部分の見え方を示している。図６Ａ及び図６Ｂは、液晶画素の立下り応答波形を示し、図７Ａ及び図７Ｂは、液晶画素の立上り応答波形を示している。なお、図６Ａ及び図６Ｂは、１枚の図面であるが、説明の便宜上、一部を重複させて、図６Ａ及び図６Ｂの２枚に分けて示している。図７Ａ及び図７Ｂも、同様に、１枚の図面であるが、説明の便宜上、一部を重複させて、図７Ａ及び図７Ｂの２枚に分けて示している。
【００３９】
図２（ａ）、２（ｂ）、２（ｃ）に示されるように、液晶表示パネル１６１には、黒色の背景に対して、白色の矩形の物体３１が表示されている。物体３１の上端の画素は、液晶表示パネル１６１の上端から垂直方向にＭライン目とし、物体３１の左端の画素は、液晶表示パネル１６１の左端から水平方向にＬピクセル目とし、物体３１の右端の画素は、液晶表示パネル１６１の左端から水平方向にＬ＋２０ピクセル目（つまり物体３１の横幅は２０ピクセル）としている。なお、図２（ｂ）、２（ｃ）では、便宜上、図２（ａ）に設けられているハッチングを省略している。
【００４０】
この物体３１は、Ｎ−１フレームまで静止しており、Ｎフレームから、水平方向（図２（ａ）中、右向き）に４ピクセル／フレームの移動速度で移動を開始する。したがって、図２（ｂ）に示される物体３１の左端の画素は、液晶表示パネル１６１の左端から水平方向にＬ＋４ピクセル目となり、図２（ｃ）に示される物体３１の左端の画素は、液晶表示パネル１６１の左端から水平方向にＬ＋８ピクセル目となっている。
【００４１】
物体３１は、４ピクセル／フレームで右向きに移動する。したがって、理想的な液晶画素では、図３に示されるように、例えばＮフレームで白色を表示していたＬピクセル〜Ｌ＋３ピクセルは、Ｎ＋１フレームでは、瞬時に立ち下がって黒色を表示する。また、例えばＮフレームで黒色を表示していたＬ＋２１ピクセル〜Ｌ＋２４ピクセルは、Ｎ＋１フレームでは、瞬時に立ち上がって白色を表示する。
【００４２】
しかしながら、実際には、液晶の応答速度に限界がある。したがって、図４に示されるように、例えばＮフレームで白色を表示していたＬピクセル〜Ｌ＋３ピクセルは、Ｎ＋１フレームで瞬時に立ち下がらずに、レベルＡ１００が視認され、本来残って欲しくない残光が視認される。また、Ｎフレームで黒色を表示していたＬ＋２１ピクセル〜Ｌ＋２４ピクセルは、Ｎ＋１フレームで瞬時に立ち上がって本来の輝度まで到達せずに、レベルＡ２００が視認される。なお、図５において、液晶応答時間Ｔｌｃは９ｍｓになっている。また、この実施形態では、フレーム周波数は１２０Ｈｚに設定されているため、図５において、垂直同期信号の周期Ｔｖは８．３３ｍｓになっている。つまり、Ｔｖ＜Ｔｌｃになっている。
【００４３】
上述のように、物体３１は、Ｎフレームに４ピクセル／フレームの移動速度で水平方向に移動を開始する。したがって、図５に示されるように、垂直方向にＭライン目であって水平方向におけるＬピクセルの液晶は、Ｎ＋１フレームにおいて応答を開始し、ハイレベル（白色）からローレベル（黒色）に向けて変化する。同様に、水平方向におけるＬ＋４ピクセルの液晶は、Ｎ＋２フレームにおいて応答を開始し、水平方向におけるＬ＋８ピクセルの液晶は、Ｎ＋３フレームにおいて応答を開始し、水平方向におけるＬ＋１２ピクセルの液晶は、Ｎ＋４フレームにおいて応答を開始する。
【００４４】
図５に示される追従視Ｅｍ（破線矢印）は、物体３１に追従している観察者の視線を模式的に表す。一方、１／６０秒以内の光の変化は、眼の中で積分（つまり平均化）されて知覚される。これは視覚の時間積分作用と呼ばれる。上記追従視と視覚の時間積分作用との相互作用は、視線追随積分（eye-tracing integration）と呼ばれる。発明者らの知見によると、液晶の応答遅れと、上記視線追随積分とに起因して、光源の点灯波形における立上り波形及び立下り波形の傾斜が急峻な場合に、動画が二重像として視認されることが明らかとなった。
【００４５】
図６ＡのＮ＋１フレームにおいて、水平方向におけるＬ＋２ピクセルの応答波形Ｒ１は、Ｌピクセルの応答波形Ｒ０とほぼ同じ波形を示している。但し、応答波形Ｒ１は、応答波形Ｒ０より２Ｔｐｉｘだけ遅れている。ここで、
Ｔｐｉｘ＝１／垂直同期周波数［Ｈｚ］／（水平ピクセル数×垂直ライン数）
である。なお、２Ｔｐｉｘは非常に短い時間であるため、Ｌ＋２ピクセルの応答波形Ｒ１は、Ｌピクセルの応答波形Ｒ０と同じと考えてもよい。
【００４６】
応答波形Ｒ１は、Ｌ＋２ピクセルの実際の応答波形を表す。しかしながら、観察者は、上述の視線追随積分に起因して、Ｌ＋２ピクセルの応答波形として、応答波形Ｒ２を予想する。つまり、観察者は、物体３１が同一速度で滑らかに移動すると考えるため、現在のＮフレームの水平方向におけるＬピクセルの応答波形Ｒ０と、次のＮ＋１フレームのＬ＋４ピクセルの応答波形Ｒ１０との中間（ほぼ中央）の波形である応答波形Ｒ２を予想する。このため、観察者の目には、実際の応答波形Ｒ１と、観察者が予想する応答波形Ｒ２との中間の応答波形Ｒ３が見えることになる。
【００４７】
一方、光源１５は、ＬＥＤで構成されているため、光源１５の点灯波形は、図６Ａ、図６Ｂに示されるように、立上り波形及び立下り波形の傾斜が急峻な波形になっている。その結果、図６Ｂに示されるように、Ｎ＋１フレームにおける物体３１のエッジとして複数のエッジが見える。すなわち、Ｎ＋１フレームでは、物体３１のエッジは、水平方向におけるＬ＋４ピクセルの位置に存在する筈である。しかし、応答波形Ｒ０に対応する波形Ａ０（残光）が、水平方向におけるＬピクセルの位置に見える。また、水平方向におけるＬ＋２ピクセルでは、観察者が予想している応答波形Ｒ２に対応する波形Ａ２と、実際に見える応答波形Ｒ３に対応する波形Ａ３との差分が大きい。また、光源１５の立上り波形及び立下り波形の傾斜が急峻な波形になっている。したがって、波形Ａ２と波形Ａ３との大きい差分が、光源１５によって認識できるため、Ｌ＋２ピクセルの位置にもエッジが存在するように見える。
【００４８】
以上より、図２（ｂ）に示されるように、Ｎ＋１フレームでは、水平方向におけるＬ＋４ピクセルの本来のエッジＥ０に加えて、ＬピクセルのエッジＥ１と、Ｌ＋２ピクセルのエッジＥ２とが存在するように見える。したがって、観察者は、物体３１を三重像（多重像）として視認する。
【００４９】
Ｎ＋２フレームでも、同様になる。すなわち、Ｎ＋２フレームでは、物体３１のエッジは、水平方向におけるＬ＋８ピクセルの位置に存在する筈である。しかし、応答波形Ｒ１０に対応する波形Ａ１０（残光）が、水平方向におけるＬ＋４ピクセルの位置に見える。また、水平方向におけるＬ＋６ピクセルでは、観察者が予想している応答波形Ｒ１２に対応する波形Ａ１２と、実際に見える応答波形Ｒ１３に対応する波形Ａ１３との差分が大きい。また、光源１５の立上り波形及び立下り波形の傾斜が急峻な波形になっている。したがって、波形Ａ１２と波形Ａ１３との大きい差分が、光源１５によって認識できるため、Ｌ＋６ピクセルの位置にもエッジが存在するように見える。
【００５０】
以上より、図２（ｃ）に示されるように、Ｎ＋２フレームでは、水平方向におけるＬ＋８ピクセルの本来のエッジＥ１０に加えて、Ｌ＋４ピクセルのエッジＥ１１と、Ｌ＋６ピクセルのエッジＥ１２とが存在するように見える。したがって、観察者は、物体３１を三重像（多重像）として視認する。
【００５１】
図７Ａ及び図７Ｂは、例えば図２（ａ）の物体３１の右端（図４の波形の右端）に対応する。図７Ａは、液晶画素の立上りの応答波形を示している。なお、図７Ａ及び図７Ｂでは、二重像の説明を分かりやすくするために、図６Ａ及び図６Ｂに比べて、光源１５の点灯波形のタイミングを相対的にずらせている。図７Ａ及び図７Ｂに示される液晶画素の立上りも、図６Ａ及び図６Ｂを用いて説明された液晶画素の立下りの場合と同様である。
【００５２】
上述のように、物体３１は、Ｎフレームに４ピクセル／フレームの移動速度で水平方向に移動を開始する。したがって、図７Ａに示されるように、Ｎフレームでは、水平方向におけるＬ＋２０ピクセルの応答波形は、ハイレベルに維持され、水平方向におけるＬ＋２２，Ｌ＋２４，Ｌ＋２６，Ｌ＋２８ピクセルの応答波形は、ローレベルに維持される。次のＮ＋１フレームにおいて、水平方向におけるＬ＋２２ピクセルとＬ＋２４ピクセルとが２ピクセル分の差でほぼ同時に立ち上がる。すなわち、水平方向におけるＬ＋２２ピクセルの実際の応答波形Ｒ３１は、Ｌ＋２４ピクセルの応答波形Ｒ４０とほぼ同じ波形になっている。このＮ＋１フレームでは、水平方向におけるＬ＋２４ピクセルが物体３１の右端に対応している。
【００５３】
一方、視線追随積分に起因して、Ｌ＋２２ピクセルにおいて観察者が予想する応答波形Ｒ３２は、物体３１の動きに応じて、実際の応答波形Ｒ３１より早く立ち上がる。このため、観察者の目には、実際の応答波形Ｒ３１と、観察者が予想する応答波形Ｒ３２との中間の応答波形Ｒ３３が見えることとなる。
【００５４】
一方、光源１５の点灯波形は、図７Ａ及び図７Ｂに示されるように、立上り波形及び立下り波形の傾斜が急峻な波形になっている。その結果、図７Ｂに示されるように、Ｎ＋１フレームにおける物体３１のエッジとして、複数のエッジが見える。すなわち、Ｎ＋１フレームでは、物体３１のエッジは、水平方向におけるＬ＋２４ピクセルの位置に存在している。この応答波形Ｒ４０に対応する、まだ十分に立ち上がっていない波形Ａ４０が、水平方向におけるＬ＋２４ピクセルの位置に見える。また、水平方向におけるＬ＋２２ピクセルでは、観察者に実際に見える応答波形Ｒ３３に対応する波形Ａ３３が見える。また、光源１５の立上り波形及び立下り波形の傾斜が急峻な波形になっている。したがって、波形Ａ３３が光源１５によって認識できるため、Ｌ＋２２ピクセルの位置にもエッジが存在するように見える。
【００５５】
以上より、図２（ｂ）に示されるように、Ｎ＋１フレームでは、水平方向におけるＬ＋２４ピクセルの本来のエッジＥ２０に加えて、Ｌ＋２２ピクセルのエッジＥ２１が存在するように見える。したがって、観察者は、物体３１を二重像として視認する。
【００５６】
Ｎ＋２フレームでも、同様になる。すなわち、Ｎ＋２フレームでは、物体３１のエッジは、水平方向におけるＬ＋２８ピクセルの位置に存在している。しかし、まだ十分に立ち上がっていない応答波形Ｒ５０（図７Ａ）に対応する波形Ａ５０（図７Ｂ）が、水平方向におけるＬ＋２８ピクセルの位置に見える。一方、図７Ａに示されるように、水平方向におけるＬ＋２６ピクセルは、Ｌ＋２８ピクセルと２ピクセル分の差でほぼ同時に立ち上がる。すなわち、水平方向におけるＬ＋２６ピクセルの実際の応答波形Ｒ４１は、Ｌ＋２８ピクセルの応答波形Ｒ５０とほぼ同じ波形になっている。そして、視線追随積分に起因して、Ｌ＋２６ピクセルにおいて観察者が予想する応答波形Ｒ４２は、物体３１の動きに合わせて、Ｌ＋２４ピクセルの応答波形Ｒ４０とＬ＋２８ピクセルの応答波形Ｒ５０との中間（ほぼ中央）の波形になっている。このため、観察者の目には、実際の応答波形Ｒ４１と、観察者が予想する応答波形Ｒ４２との中間の応答波形Ｒ４３が見えることとなる。また、光源１５の立上り波形及び立下り波形の傾斜が急峻な波形になっている。したがって、図７Ｂに示されるように、中間の応答波形Ｒ４３に対応する波形Ａ４３が光源１５によって認識できるため、Ｌ＋２６ピクセルの位置にもエッジが存在するように見える。
【００５７】
以上より、図２（ｃ）に示されるように、Ｎ＋２フレームでは、水平方向におけるＬ＋２８ピクセルの本来のエッジＥ３０に加えて、Ｌ＋２６ピクセルのエッジＥ３１が存在するように見える。したがって、観察者は、物体３１を二重像として視認する。
【００５８】
図１に戻って、光源制御部１３の機能を説明する。光源制御部１３は、点灯期間設定部１２の輝度デューティ値設定部１２１及び光源点灯開始位相設定部１２２により設定された光源１５の点灯期間に基づき、光源駆動部１４を制御して、光源１５の点灯及び消灯を制御する。
【００５９】
光源制御部１３は、垂直同期信号の周期Ｔｖ（１フレーム期間）において、動画検出部１１により検出された動画領域の画素に画像データを書き込む書込期間と、点灯期間設定部１２により設定された光源１５の点灯期間とが、重なるか否かを判定し、判定結果に基づき、光源１５の点灯波形を制御する。光源制御部１３は、上記書込期間と上記点灯期間とが重ならないと判定すると、光源１５の点灯波形における立上り波形及び立下り波形の傾斜角度が小さくならないように制御する。つまり、光源駆動部１４を制御して、光源駆動部１４から通常の矩形波の駆動信号を出力させる。
【００６０】
光源制御部１３は、上記書込期間と上記点灯期間とが重なると判定すると、光源１５の点灯波形における立上り波形及び立下り波形の傾斜角度が小さくなるように制御する。光源制御部１３は、動画検出部１１により動画領域が検出されない場合には、光源１５の点灯波形における立上り波形及び立下り波形の傾斜角度が小さくならないように制御する。
【００６１】
記憶部１７は、光源１５の点灯波形における立上り波形及び立下り波形の傾斜角度が小さくなるような駆動波形（後述の図９（ａ）、９（ｂ）参照）と、光源１５の点灯波形における立上り波形及び立下り波形の傾斜角度が小さくならない通常の矩形波（後述の図９（ｃ）参照）とを保存している。光源制御部１３は、記憶部１７に保存されている駆動波形が光源駆動部１４から出力されるように、光源駆動部１４を制御する。
【００６２】
図８Ａ及び図８Ｂは、第１実施形態における液晶の応答波形及び物体３１のエッジ部分の見え方を模式的に示す図である。図８Ａ及び図８Ｂは、説明の便宜上、一部を重複させて、２枚の模式図に分けて示している。図８Ａ及び図８Ｂにおいても、図２及び図４を用いて説明されたように物体３１が移動するものとしている。すなわち、物体３１は、水平方向に４ピクセル／フレームの移動速度で移動する。図８Ａ及び図８Ｂを用いて、この第１実施形態における動作が説明される。
【００６３】
図８Ａ及び図８Ｂにおいて、Ｎフレームでは、動画検出部１１は、動画領域を検出しない。そこで、光源制御部１３は、光源１５の点灯波形における立上り波形及び立下り波形の傾斜角度が小さくならないように制御する。その結果、図８Ｂに示されるように、水平方向におけるＬ，Ｌ＋２，Ｌ＋４，Ｌ＋６ピクセルにおいて、それぞれ光源１５の点灯波形に応じたハイレベル（白色）の信号が、物体３１を示す信号として視認される。
【００６４】
一方、次のＮ＋１フレームでは、動画検出部１１は、動画領域を検出する。光源制御部１３は、図８ＡのＮ＋１フレームにおいて、動画検出部１１により検出された動画領域の画素に画像データを書き込む書込期間と、点灯期間設定部１２により設定された光源１５の点灯期間とが、重なると判定する。この判定結果に基づき、光源制御部１３は、光源１５の点灯波形における立上り波形及び立下り波形の傾斜角度が小さくなるように制御する。したがって、図８ＢのＮ＋１フレームに示されるように、光源１５の点灯波形における立上り波形及び立下り波形の傾斜角度は小さくなる。すなわち、光源１５の点灯波形は、緩やかに立ち上がり、緩やかに立ち下がる。このＮ＋１フレームでは、水平方向におけるＬ＋４ピクセルにおいて、光源１５の点灯波形に対応する波形Ｂ４が、物体３１のエッジとして視認される。
【００６５】
Ｎ＋１フレームでは、水平方向におけるＬピクセルの応答波形Ｒ０及びＬ＋２ピクセルの応答波形Ｒ１，Ｒ２，Ｒ３は、上記図６Ａに示される応答波形Ｒ０及び応答波形Ｒ１，Ｒ２，Ｒ３と全く同じである。一方、光源１５の点灯波形は、上記図６Ａに示された点灯波形と異なり、緩やかに立ち上がり、緩やかに立ち下がる。その結果、図８Ｂに示されるように、Ｎ＋１フレームの水平方向におけるＬピクセルでは、傾斜が緩やかで波高値が低い波形Ｂ０が視認される。また、Ｌ＋２ピクセルでは、観察者が予想している応答波形Ｒ２に対応する波形Ｂ２と、観察者の目に実際に見える応答波形Ｒ３に対応する波形Ｂ３とは、光源１５の点灯波形に応じて、両方とも傾斜が緩やかで波高値が低い形状になっている。その結果、波形Ｂ２と波形Ｂ３との差分は小さくなっている。このため、観察者には、Ｌ，Ｌ＋２，Ｌ＋４ピクセルの波形Ｂ０，Ｂ２，Ｂ３，Ｂ４によって、物体３１のエッジがぼやけて視認される。つまり、物体３１が動画ボヤケとして視認され、二重像として視認されることはない。
【００６６】
Ｎ＋２フレームにおいても、Ｎ＋１フレームの場合と全く同様になる。Ｎ＋２フレームでは、図８Ａに示されるＬ＋８ピクセルの位置が物体３１のエッジとして視認される。また、Ｎ＋２フレームの水平方向におけるＬ＋４ピクセルの応答波形Ｒ１０及びＬ＋６ピクセルの応答波形Ｒ１１，Ｒ１２，Ｒ１３は、上記図６Ａにおける応答波形Ｒ１０，Ｒ１１，Ｒ１２，Ｒ１３と全く同じである。一方、光源１５の点灯波形は、上記図６Ａに示された点灯波形と異なり、緩やかに立ち上がり、緩やかに立ち下がる。その結果、図８Ｂに示されるように、Ｎ＋２フレームの水平方向におけるＬ＋４ピクセルでは、応答波形Ｒ１０が緩やかにされた波形Ｂ１０が視認される。また、Ｌ＋６ピクセルでは、観察者が予想している応答波形Ｒ１２に対応する波形Ｂ１２と、観察者の目に実際に見える応答波形Ｒ１３に対応する波形Ｂ１３とは、光源１５の点灯波形に応じて、両方とも傾斜が緩やかで波高値が低い形状になっている。その結果、波形Ｂ１２と波形Ｂ１３との差分は小さくなっている。このため、観察者には、Ｌ＋４，Ｌ＋６ピクセルの波形Ｂ１０，Ｂ１２，Ｂ１３によって、物体３１のエッジがぼやけて視認される。つまり、物体３１が動画ボヤケとして視認され、二重像として視認されることはない。
【００６７】
図９（ａ）、９（ｂ）、９（ｃ）は、光源制御部１３の制御により光源駆動部１４から出力される駆動信号の駆動波形及び光源１５の点灯波形の例を示す図である。上述のように、光源制御部１３は、動画検出部１１により検出された動画領域の画素に画像データを書き込む書込期間と、点灯期間設定部１２により設定された光源１５の点灯期間とが、重なると判定すると、図９（ａ）、図９（ｂ）に示されるように、光源１５の点灯波形における立上り波形及び立下り波形の傾斜角度が小さくなるように制御する。
【００６８】
図９（ａ）に示される例では、光源制御部１３は、階段状に変化する駆動波形が光源駆動部１４から出力されるように、光源駆動部１４を制御する。すなわち、光源駆動部１４は、立上り期間Ｔ１００で階段状に上昇し、一定電圧Ｖ１を維持した後、立下り期間Ｔ２００で階段状に低下する駆動波形４１を有する駆動信号を出力する。この駆動波形４１によって、光源１５の点灯波形５１は、立上り期間Ｔ１００では緩やかに上昇し、一定の波高値Ｐ１を維持した後、立下り期間Ｔ２００では緩やかに低下する波形になっている。
【００６９】
図９（ｂ）に示される例では、光源制御部１３は、ＰＷＭ波形が光源駆動部１４から出力されるように、光源駆動部１４を制御する。すなわち、光源駆動部１４は、立上り期間Ｔ１００ではパルス幅が徐々に増大し、一定電圧Ｖ１を維持した後、立下り期間Ｔ２００ではパルス幅が徐々に低下するＰＷＭ波形４１ａを有する駆動信号を出力する。このＰＷＭ波形４１ａによって、図９（ａ）と同様に、光源１５の点灯波形５１は、立上り期間Ｔ１００では緩やかに上昇し、一定の波高値Ｐ１を維持した後、立下り期間Ｔ２００では緩やかに低下する波形になっている。
【００７０】
上述のように、光源制御部１３が、上記画像データの書込期間と、上記光源１５の点灯期間とが、重ならないと判定した場合には、光源制御部１３は、光源１５の点灯波形における立上り波形及び立下り波形の傾斜角度が小さくならないように、光源駆動部１４を制御する。また、光源制御部１３は、動画検出部１１により動画領域が検出されない場合にも、同様に、光源駆動部１４を制御する。この光源制御部１３の制御によって、図９（ｃ）に示されるように、光源駆動部１４は、電圧値Ｖ１の矩形波４１ｂを有する駆動信号を出力する。この矩形波４１ｂによって、光源１５の点灯波形５１ｂは、Ｔ１００＞Ｔ１０１の立上り期間Ｔ１０１で急峻に上昇し、一定の波高値Ｐ１を維持した後、Ｔ２００＞Ｔ２０１の立下り期間Ｔ２０１で急峻に低下する波形になっている。一般的なＬＥＤでは、Ｔ１０１及びＴ２０１は、数μｓ〜数百ｎｓである。
【００７１】
なお、上記図９（ａ）及び図９（ｂ）と、図９（ｃ）とを比較すると分かるように、図９（ａ）及び図９（ｂ）の点灯波形５１、５１ａでは、図９（ｃ）の点灯波形５１ｂに比べて、光源１５から出力される光量は、立上り期間で減少する分だけ立下り期間で増大している。したがって、光源１５から出力される光量は、図９（ａ）及び図９（ｂ）の点灯波形５１、５１ａと、図９（ｃ）の点灯波形５１ｂとでは、ほぼ等しくなっている。
【００７２】
以上説明されたように、この第１実施形態では、光源制御部１３は、光源１５の点灯期間と動画領域に対する画像データの書込期間とが重なる場合には、光源１５の点灯波形における立上り波形及び立下り波形の傾斜角度が小さくなるように制御している。したがって、動画領域のエッジがぼやけて見えることになる。つまり動画ボヤケが生じるが、その結果、動画が二重像（多重像）として視認されるのを防止することができる。人間の眼には、二重像は動画ボヤケに比べて非常に目立ち、二重像が視認されると、動画ボヤケが視認された場合に比べて、動画が見づらく感じられる。このため、この第１実施形態によれば、動画が見づらく感じられて動画の表示品位が低下したと認識されるのを防止することができる。また、この第１実施形態では、光源制御部１３は、動画領域が検出されない場合、及び、光源１５の点灯期間と動画領域に対する画像データの書込期間とが重ならない場合には、光源１５の点灯波形における立上り波形及び立下り波形の傾斜角度が小さくならないように制御している。したがって、立上り波形及び立下り波形が急峻な点灯波形を有する光源１５の特性を十分に活用することができる。
【００７３】
（第２実施形態）
図１０は、本発明の第２実施形態の液晶表示装置１０の構成を示すブロック図である。図１１は、第２実施形態において、光源制御部１３ａの制御により光源駆動部１４から出力される駆動信号の駆動波形及び光源１５の点灯波形の例を示す図である。第２実施形態では、第１実施形態と同様の要素に対して、同様の符号が割り当てられている。図１０に示される第２実施形態の液晶表示装置１０は、図１に示される第１実施形態の液晶表示装置１の各構成に加えて、エッジ検出部１８を備えている。以下、第１実施形態との相違点を中心に第２実施形態が説明される。
【００７４】
エッジ検出部１８は、入力映像信号におけるエッジをフレームごとに検出する。エッジ検出部１８は、例えばハイパスフィルタを用いてエッジを検出し、検出したエッジの数をエッジ検出結果とする。エッジ検出部１８は、１フレームの間、エッジ検出結果を保持する。代替的に、エッジ検出部１８は、エッジ検出結果を記憶部１７に保存してもよい。
【００７５】
エッジ検出部１８によるエッジ検出の手法は上記に限られない。代替的に、エッジ検出部１８は、例えば、所定画素の入力映像信号の信号レベル（例えば輝度）と、所定画素に隣接する複数の隣接画素の入力映像信号の各信号レベルとの差分をそれぞれ求め、求めた各差分が予め設定された閾値（第１閾値）以上であるエッジの数を検出してもよい。さらに代替的に、エッジ検出部１８は、例えばハイパスフィルタを用いて検出したエッジのレベルを多値化し、多値化したエッジデータをエッジ検出結果としてもよい。
【００７６】
動画検出部１１ａは、第１実施形態の動画検出部１１と同様に、例えば現フレームの入力映像信号と、現フレームの１つ前に表示される前フレームの入力映像信号とに基づき、動画領域を検出する。この第２実施形態では、さらに、動画検出部１１ａは、エッジ検出部１８によるエッジ検出結果のうち、検出された動画領域におけるエッジ検出結果を抽出する。光源制御部１３ａは、動画領域におけるエッジ検出結果に基づき、二重像が発生しやすいか否かを判別する。光源制御部１３ａは、例えば動画領域におけるエッジ数が予め設定された閾値（第２閾値）以上のときに、二重像が発生しやすいと判別する。例えば、入力映像信号が文字などのテロップを流す信号を含む場合に、動画領域におけるエッジ数が上記閾値以上になる。代替的に、光源制御部１３ａは、動画検出部１１ａにより抽出されたエッジ検出結果に対する重み係数の加算や乗算により重み付けを行って、動画検出部１１ａにより検出された動画領域において二重像が発生しやすいか否かを判別するようにしてもよい。
【００７７】
光源制御部１３ａは、二重像が発生しやすいと判別した場合には、二重像が発生しやすいと判別しなかった場合に比べて、光源１５の立上り波形及び立下り波形の傾斜角度がより小さくなるように制御する。すなわち、光源制御部１３ａは、二重像が発生しやすいと判別しなかった場合には、比較的短い立上り期間Ｔ１０２で立上り波形が階段状に上昇し、比較的短い立下り期間Ｔ２０２で立下り波形が階段状に低下する駆動波形が出力されるように、光源駆動部１４を制御する。この光源制御部１３ａの制御によって、光源駆動部１４は、図１１に示されるように、立上り期間Ｔ１０２で階段状に上昇し、一定電圧Ｖ１を維持した後、立下り期間Ｔ２０２で階段状に低下する駆動波形４２を有する駆動信号を出力する。この駆動波形４２によって、光源１５の点灯波形５２は、立上り期間Ｔ１０２で緩やかに上昇し、一定の波高値Ｐ１を維持した後、立下り期間Ｔ２０２で緩やかに低下する波形になっている。
【００７８】
また、光源制御部１３ａは、二重像が発生しやすいと判別した場合には、Ｔ１０３＞Ｔ１０２の比較的長い立上り期間Ｔ１０３で立上り波形が階段状に上昇し、Ｔ２０３＞Ｔ２０２の比較的長い立下り期間Ｔ２０３で立下り波形が階段状に低下する駆動波形が出力されるように、光源駆動部１４を制御する。この光源制御部１３ａの制御によって、光源駆動部１４は、立上り期間Ｔ１０３で階段状に上昇し、一定電圧Ｖ１を維持した後、立下り期間Ｔ２０３で階段状に低下する駆動波形４３を有する駆動信号を出力する。この駆動波形４３によって、光源１５の点灯波形５３は、立上り期間Ｔ１０３でより一層緩やかに上昇し、一定の波高値Ｐ１を維持した後、立下り期間Ｔ２０３でより一層緩やかに低下する波形になっている。
【００７９】
以上説明されたように、この第２実施形態では、入力映像信号のエッジを検出するエッジ検出部１８を備え、光源制御部１３ａは、動画検出部１１ａ及びエッジ検出部１８の検出結果に基づき、二重像が発生しやすいか否かを判別する。光源制御部１３ａは、二重像が発生しやすいと判別した場合には、光源１５の点灯波形における立上り波形及び立下り波形の傾斜角度がより一層小さくなるように制御する。したがって、光源１５の点灯波形を、二重像の発生しやすさに応じて適切な点灯波形にすることができるため、動画が二重像として視認されるのをより効果的に防止することができる。その結果、動画の表示品位が低下するのをより良く防止することができる。
【００８０】
（その他）
上記第１及び第２実施形態において、動画検出部１１（１１ａ）は、さらに、検出した動画領域の移動速度を検出するようにしてもよい。光源制御部１３は、動画検出部１１により検出された移動速度に基づき、光源１５の点灯波形における立上り波形及び立下り波形の傾斜角度を変更するようにしてもよい。光源制御部１３は、動画検出部１１により検出された移動速度が所定値以上の場合には、例えば図１１に示される駆動波形４３が光源駆動部１４から出力されるように、光源駆動部１４を制御する。この駆動波形４３によって、光源１５は点灯波形５３で点灯する。また、光源制御部１３は、動画検出部１１により検出された移動速度が所定値未満の場合には、例えば図１１に示される駆動波形４２が光源駆動部１４から出力されるように、光源駆動部１４を制御する。この駆動波形４２によって、光源１５は点灯波形５２で点灯する。代替的に、光源制御部１３は、動画検出部１１により検出された移動速度が所定値未満の場合には、例えば図９（ｃ）に示される駆動波形４１ｂが光源駆動部１４から出力されるように、光源駆動部１４を制御するようにしてもよい。この駆動波形４１ｂによって、光源１５は点灯波形５１ｂで点灯する。すなわち、光源制御部１３は、動画検出部１１により検出された移動速度が所定値未満の場合には、光源１５の点灯波形において、立上り波形及び立下り波形の傾斜角度が小さくならないように制御してもよい。
【００８１】
動画領域の移動速度が増大すると、二重像が発生しやすくなる。したがって、動画領域の移動速度が所定値以上の場合に、所定値未満の場合に比べて、光源１５の点灯波形における立上り波形及び立下り波形の傾斜角度をより小さく制御する形態によれば、二重像の発生をより確実に防止することができる。
【００８２】
図１２及び図１３は、光源制御部１３の制御により光源駆動部１４から出力される駆動信号の駆動波形及び光源１５の点灯波形の別の例を示す図である。上記第１及び第２実施形態では、光源制御部１３（１３ａ）は、光源１５の点灯波形における立上り波形及び立下り波形の両方の傾斜角度が小さくなるように制御しているが、これに限られない。
【００８３】
図１２には、光源１５の駆動波形として、上記図９（ａ）と同様に光源１５の点灯波形における立上り波形及び立下り波形の両方の傾斜角度を小さくする駆動波形４１と、立上り波形の傾斜角度のみを小さくする駆動波形４４とが示されている。また、図１２には、光源１５の点灯波形として、駆動波形４１による点灯波形５１と、駆動波形４４による点灯波形５４とが示されている。
【００８４】
上記図９（ａ）及び図９（ｃ）を比較して説明されたように、光源１５の立上り波形及び立下り波形の両方の傾斜角度が小さくされた点灯波形５１と、傾斜角度が小さくされていない点灯波形５１ｂ（図９（ｃ））とでは、光量がほぼ等しくなっている。これに対して、立上り波形の傾斜角度のみが小さくされた点灯波形の光量は、波高値が同一のままでは、点灯波形５１ｂ（図９（ｃ））の光量に比べて低下する。そこで、図１２に示される駆動波形４４は、駆動波形４１の電圧値Ｖ１より高い電圧値Ｖ２まで上昇させている。この駆動波形４４によって、点灯波形５４の波高値Ｐ２を点灯波形５１の波高値Ｐ１より増大させている。これによって、点灯波形５４の光量を、点灯波形５１や点灯波形５１ｂ（図９（ｃ））の光量と同じ大きさにしている。
【００８５】
図１３には、光源１５の駆動波形として、上記図９（ａ）と同様に光源１５の点灯波形における立上り波形及び立下り波形の両方の傾斜角度を小さくする駆動波形４１と、立下り波形の傾斜角度のみを小さくする駆動波形４５とが示されている。また、図１３には、光源１５の点灯波形として、駆動波形４１による点灯波形５１と、駆動波形４５による点灯波形５５とが示されている。なお、図１３において、立下り波形の傾斜角度のみが小さくされた点灯波形５５の光量は、点灯波形５１の光量に比べて増大する。そこで、駆動波形４５において上昇させる電圧値を駆動波形４１の電圧値Ｖ１より低い電圧値とし、これによって、点灯波形５５の波高値を点灯波形５１の波高値Ｐ１より低減させて、点灯波形５５の光量が点灯波形５１の光量と同じ大きさになるようにしてもよい。
【００８６】
図１２及び図１３に示される形態において、光源制御部１３は、垂直同期信号の周期Ｔｖ（１フレーム期間）において、動画検出部１１により検出された動画領域の画素に画像データを書き込む書込期間と、点灯期間設定部１２により設定された光源１５の点灯期間との重なり具合に応じて、立上り波形及び立下り波形の各々の傾斜角度が小さくなるように制御するか否かを変更する。
【００８７】
例えば、光源制御部１３は、光源１５の点灯期間のうち立上り期間が書込期間と重なり、立下り期間は書込期間と重ならないと判定した場合には、図１２に示される駆動波形４４が光源駆動部１４から出力されるように、光源駆動部１４を制御する。また、光源制御部１３は、光源１５の点灯期間のうち立下り期間が書込期間と重なり、立上り期間は書込期間と重ならないと判定した場合には、図１３に示される駆動波形４５が光源駆動部１４から出力されるように、光源駆動部１４を制御する。この形態では、立上り波形及び立下り波形のうち傾斜角度を小さくする必要がある波形の傾斜角度のみを小さくしている。したがって、可能な限り、立上り波形及び立下り波形が急峻な光源１５の特性を利用することができる。
【００８８】
図１４ないし図１８は、それぞれ、光源制御部１３の制御により光源駆動部１４から出力される駆動信号の駆動波形及び光源１５の点灯波形の例を示す図である。上記第１実施形態では、光源１５の点灯波形を、例えば上記図８ＡのＮフレームで図９（ｃ）に示される通常の急峻な点灯波形としていたのが、次のＮ＋１フレームにおいて、図９（ａ）に示される点灯波形としている。つまり１フレームで点灯波形を変化させているが、これに限られない。以下、図１４乃至図１８を用いて、光源１５の点灯波形を複数フレームに亘って徐々に変化させる、変形された形態が説明される。
【００８９】
図１４には、上記図９（ｃ）と同様の、通常の矩形波形状の駆動波形４４ａ及びこの駆動波形４４ａによる光源１５の点灯波形５４ａが示されている。この駆動波形４４ａによって、光源１５の点灯波形５４ａは、非常に短い立上り期間Ｔ１０１で立ち上がる急峻な立上り波形、及び非常に短い立下り期間Ｔ２０１で立ち下がる急峻な立下り波形を有する波形になっている。
【００９０】
図１５には、図１４に比べてやや緩やかであるが比較的急峻な階段状の駆動波形４４ｂ及びこの駆動波形４４ｂによる光源１５の点灯波形５４ｂが示されている。この駆動波形４４ｂによって、光源１５の点灯波形５４ｂは、比較的短い立上り期間Ｔ１１０で立ち上がる比較的急峻な立上り波形、及び比較的短い立下り期間Ｔ２１０で立ち下がる比較的急峻な立下り波形を有する波形になっている。
【００９１】
図１６には、図１５に比べてさらに緩やかな階段状の駆動波形４４ｃ及びこの駆動波形４４ｃによる光源１５の点灯波形５４ｃが示されている。この駆動波形４４ｃによって、光源１５の点灯波形５４ｃは、立上り期間Ｔ１１１で立ち上がる立上り波形、及び立下り期間Ｔ２１１で立ち下がる立下り波形を有する波形になっている。
【００９２】
図１７には、図１６に比べてさらに緩やかな階段状の駆動波形４４ｄ及びこの駆動波形４４ｄによる光源１５の点灯波形５４ｄが示されている。この駆動波形４４ｄによって、光源１５の点灯波形５４ｄは、立上り期間Ｔ１１２で立ち上がる立上り波形、及び立下り期間Ｔ２１２で立ち下がる立下り波形を有する波形になっている。
【００９３】
図１８には、上記図９（ａ）と同様の、図１７に比べてさらに緩やかな階段状の駆動波形４４ｅ及びこの駆動波形４４ｅによる光源１５の点灯波形５４ｅが示されている。この駆動波形４４ｅによって、光源１５の点灯波形５４ｅは、上記図９（ａ）と同様に、立上り期間Ｔ１００で立ち上がる立上り波形、及び立下り期間Ｔ２００で立ち下がる立下り波形を有する波形になっている。図１４ないし図１８において、
Ｔ１０１＜Ｔ１１０＜Ｔ１１１＜Ｔ１１２＜Ｔ１００、
Ｔ２０１＜Ｔ２１０＜Ｔ２１１＜Ｔ２１２＜Ｔ２００、
になっている。
【００９４】
例えば上記図８Ａに示されるＮフレームのように、動画検出部１１により動画領域が検出されていない場合には、光源制御部１３は、図１４に示される駆動波形４４ａが光源駆動部１４から出力されるように、光源駆動部１４を制御する。この駆動波形４４ａによって、光源１５の点灯波形５４ａの立上り波形及び立下り波形の傾斜は急峻になっている。つまり、光源１５を構成するＬＥＤの発光特性が表れている。
【００９５】
上記図８Ａに示されるＮフレームのように、動画検出部１１により動画領域が検出されておらず、通常の矩形波形状の駆動波形４４ａによる光源１５の点灯波形５４ａとなっているフレームから、Ｎ＋１フレームのように、立上り波形及び立下り波形の傾斜角度を小さくする場合に、この変形された形態では、次のフレームでは、図１５に示される駆動波形４４ｂが光源駆動部１４から出力される。つまり、上記第１実施形態（図８Ｂ）では、図１４に示される駆動波形４４ａ及び点灯波形５４ａから、いきなり図１８に示される駆動波形４４ｅ及び点灯波形５４ｅに移っていたが、この点で、この変形された形態は上記第１実施形態と異なる。
【００９６】
さらに次のフレームでは、図１６に示される駆動波形４４ｃが光源駆動部１４から出力され、さらに次のフレームでは、図１７に示される駆動波形４４ｄが光源駆動部１４から出力される。そして、さらに次のフレームにおいて、上記図９（ａ）と同様の、図１８に示される駆動波形４４ｅが光源駆動部１４から出力される。
【００９７】
このように、この変形された形態では、光源１５の点灯波形を、図１４に示される点灯波形５４ａから図１８に示される点灯波形５４ｅまで５フレームに亘って、図１４ないし図１８に示されるように、徐々に変化させている。例えば、図１４に示される点灯波形５４ａから図１８に示される点灯波形５４ｅに１フレームで急激に変化させると、フリッカが発生する可能性がある。しかしながら、この変形された形態では、光源１５の点灯波形を複数フレーム（この形態では５フレーム）に亘って徐々に変化させているので、フリッカの発生を防止することができる。
【００９８】
なお、この変形された形態では、図１４ないし図１８に示されるように、点灯波形を５フレームに亘って徐々に変化させているが、５フレームに限られず、３，４フレーム又は６フレーム以上に亘って徐々に変化させてもよい。
【００９９】
また、この変形された形態において、常に、点灯波形を５フレームに亘って徐々に変化させるのに限られない。例えば上記第２実施形態において、光源制御部１３ａは、エッジ検出部１８の検出結果に基づき、二重像が発生しやすいと判別したときは、直接、図１４に示される点灯波形５４ａから図１８に示される点灯波形５４ｅに変化させるようにしてもよい。あるいは、光源制御部１３ａは、エッジ検出部１８の検出結果に基づき、二重像が発生しやすいと判別したときは、図１４に示される点灯波形５４ａから、図１６に示される点灯波形５４ｃを経て、図１８に示される点灯波形５４ｅに変化させるようにしてもよい。つまり、徐々に変化させるフレーム数を５フレームから減少してもよい。また、光源制御部１３ａは、エッジ検出部１８の検出結果に基づき、二重像が発生しやすいと判別しなかったときは、図１４に示される点灯波形５４ａから図１８に示される点灯波形５４ｅまで、点灯波形を徐々に変化させるようにしてもよい。代替的に、光源制御部１３ａは、エッジ検出部１８の検出結果に基づき、二重像の発生しやすさのレベルを判別し、該レベルに応じて、点灯波形を徐々に変化させるフレーム数を変更するようにしてもよい。この形態によれば、二重像が発生しやすいか否かに応じて、二重像の発生防止とフリッカの発生防止とのいずれかを優先的に実現することができる。
【０１００】
図１９は、本発明のさらに別の形態の液晶表示装置１００の構成を示すブロック図である。図１９に示される液晶表示装置１００は、第１実施形態の各構成に加えて、温度検出部１９をさらに備える。温度検出部１９は、サーミスタ等からなり、周囲温度を検出する。温度検出部１９は、周囲温度の検出結果を光源制御部１３ｂに通知する。光源制御部１３ｂは、第１実施形態の光源制御部１３の機能に加えて、温度検出部１９による温度検出結果に基づき、光源１５の点灯波形における立上り波形及び立下り波形の傾斜角度を変更する。例えば光源制御部１３ｂは、温度検出部１９により検出された温度が予め設定された閾値（第３閾値）以上の場合には、図１１に示される駆動波形４２が光源駆動部１４から出力されるように、光源駆動部１４を制御する。この駆動波形４２によって、光源１５は点灯波形５２で点灯する。また、光源制御部１３ｂは、温度検出部１９により検出された温度が上記閾値未満の場合には、図１１に示される駆動波形４３が光源駆動部１４から出力されるように、光源駆動部１４を制御する。この駆動波形４３によって、光源１５は点灯波形５３で点灯する。
【０１０１】
温度が低下すると、液晶の応答速度は低下する。液晶の応答速度が低下すると、二重像が発生しやすくなる。したがって、図１９に示される形態によれば、温度が上記閾値未満の場合に、光源１５の点灯波形における立上り波形及び立下り波形の傾斜角度がより小さくなるように制御することによって、二重像の発生をより確実に防止することができる。
【０１０２】
上記第１及び第２実施形態において、点灯期間設定部１２は、光源点灯開始位相設定部１２２を含んでいるが、これに限られない。例えば、点灯期間設定部１２は、光源点灯開始位相設定部１２２に代えて、光源１５の消灯開始位相を設定する光源消灯開始位相設定部を含むようにしてもよい。この場合には、光源制御部１３は、光源消灯開始位相設定部により設定された消灯開始位相と、輝度デューティ値設定部１２１により設定された輝度デューティ値に基づき、光源１５の点灯開始位相を求め、求めた点灯開始位相で光源１５を点灯させるようにすればよい。
【０１０３】
上記第１及び第２実施形態において、光源１５としてＬＥＤを用いているが、これに限られない。光源１５として、光源駆動部１４から矩形波の駆動信号が出力されて駆動されると、点灯波形における立上り波形及び立下り波形の傾斜が急峻な波形で点灯及び消灯する発光素子を用いることができる。ここで、立上り波形及び立下り波形の傾斜が急峻な波形とは、立上り期間及び立下り期間が例えば数μｓ〜数百ｎｓである波形を言う。
【産業上の利用可能性】
【０１０４】
入力映像信号に対応する映像を表示する液晶表示部と前記液晶表示部を背面から照明する光源とを備えた液晶表示装置において、動画の表示品位が低下するのを防止可能な液晶表示装置及び液晶表示方法として有用である。
【符号の説明】
【０１０５】
１１、１１ａ  動画検出部
１２  点灯期間設定部
１２１  輝度デューティ値設定部
１２２  バックライト点灯開始位相設定部
１３、１３ａ、１３ｂ  光源制御部
１４  光源駆動部
１５  光源
１６  映像表示部
１６１  液晶表示パネル
１６２  表示制御部
１８  エッジ検出部
１９  温度検出部
【図１】
2013134318.tif 000003
【図２】
2013134318.tif 000004
【図３】
2013134318.tif 000005
【図４】
2013134318.tif 000006
【図５】
2013134318.tif 000007
【図６Ａ】
2013134318.tif 000008
【図６Ｂ】
2013134318.tif 000009
【図７Ａ】
2013134318.tif 000010
【図７Ｂ】
2013134318.tif 000011
【図８Ａ】
2013134318.tif 000012
【図８Ｂ】
2013134318.tif 000013
【図９】
2013134318.tif 000014
【図１０】
2013134318.tif 000015
【図１１】
2013134318.tif 000016
【図１２】
2013134318.tif 000017
【図１３】
2013134318.tif 000018
【図１４】
2013134318.tif 000019
【図１５】
2013134318.tif 000020
【図１６】
2013134318.tif 000021
【図１７】
2013134318.tif 000022
【図１８】
2013134318.tif 000023
【図１９】
2013134318.tif 000024